(57)【特許請求の範囲】
【請求項１】
合成樹脂をマトリックスとし、強化繊維で強化された竿管の内部に、釣糸のガイド部材が配設されており、
竿管の長手方向に沿って切断した断面において、前記ガイド部材は、少なくともコア領域とそれに連続した撥水性を有する部材の領域とを具備し、
前記ガイド部材は前記竿管の内面に螺旋状に配設し、該ガイド部材のコア領域は強化繊維で強化されて前記撥水性部材よりも耐摩耗性が高く、その繊維方向を概ね螺旋の長さ方向に指向させ、
前記撥水性部材領域は前記コア領域の全体を覆うようにコア領域の前後に亘って配設されると共に、撥水性部材を設けていない領域の存在を許容しつつ竿管内面を覆い、
該コア領域の少なくとも後側の基部近くでは、該基部から竿管の長手方向に離れた部位及び前記頂部に近い部位に比べて前記撥水性部材が厚く形成されている
ことを特徴とする中通し釣竿。
【発明の詳細な説明】
【０００１】
【発明の属する技術分野】
本発明は、竿管の内部に釣糸をガイドする螺旋状に連続したガイド部材を竿管と一体、又は別体に有する中通し釣竿に関する。
【０００２】
【従来の技術】
中通し釣竿では竿管内部に釣糸を挿通させるため、竿管内部に釣糸のガイド部材を配設することが一般的である。また、竿管内部には釣糸を介して水滴が侵入する。
【０００３】
【発明が解決しようとする課題】
然しながら、この場合、単にガイド部材に耐摩耗性を持たせるだけではガイド部材の耐久性は有するものの、竿管内部に侵入した水滴がこのガイド部材に塞き止められることにより、該ガイド部材の基部に水滴が集まり、釣糸が竿管を挿通する際に、他の場所と比較してガイド部材の基部付近により多く溜った水が釣糸に付着し易くなる。釣糸に水滴が付着すればそれだけ挿通抵抗が高くなり、仕掛けの投擲性能等が低下する。
【０００４】
依って本発明は、ガイド部材の耐久性を保持しつつ、ガイド部材の基部に水滴が停留し難い中通し釣竿の提供を目的とする。
【０００５】
【課題を解決するための手段】
上記目的に鑑みて本発明は、合成樹脂をマトリックスとし、強化繊維で強化された竿管の内部に、釣糸のガイド部材が配設されており、竿管の長手方向に沿って切断した断面において、前記ガイド部材は、少なくともコア領域とそれに連続した撥水性を有する部材の領域とを具備し、前記ガイド部材は前記竿管の内面に螺旋状に配設し、該ガイド部材のコア領域は強化繊維で強化されて前記撥水性部材よりも耐摩耗性が高く、その繊維方向を概ね螺旋の長さ方向に指向させ、前記撥水性部材領域は前記コア領域の全体を覆うようにコア領域の前後に亘って配設されると共に、撥水性部材を設けていない領域の存在を許容しつつ竿管内面を覆い、該コア領域の少なくとも後側の基部近くでは、該基部から竿管の長手方向に離れた部位及び前記頂部に近い部位に比べて前記撥水性部材が厚く形成されていることを特徴とする中通し釣竿を提供する。前後の、前側とは竿先側であり、後側とは元側である。
【０００６】
釣糸はガイド部材の頂部付近によってガイドされるが、コア領域が撥水性部材よりも耐摩耗性の高い強化繊維を使用して形成されているため、この部位のコア表面を覆った撥水性部材は摩耗し易いが、ガイド部材の耐久性が保持される。ガイド部材のコア領域は全体が撥水性部材によって覆われているため、ガイド部材の基部には水滴が停留し難い。然しながら、ガイド部材の基部から頂部に至る傾斜が急であれば、例え表面に撥水性部材が設けられていても水滴は基部に集まり易い。これに対して本発明ではコア領域の少なくとも後側の基部近くには、該基部から竿管の長手方向に離れた部位及び前記頂部に近い部位に比べて撥水性部材が厚く配設されいるため、ガイド部材の傾斜が緩やかになり、このためガイド部材の基部には水滴が停留し難い。更には、基部付近の撥水性部材の厚さが最も厚いため、竿管の掃除等を繰り返してもこの部位の撥水性部材が永く保持でき、それだけ最も重要な部位の撥水性の耐久性が向上する。
【０００７】
【発明の実施の形態】
以下、本発明の実施の形態例を説明する前に、従来の問題点を図示した図３につき説明する。図３の左側が竿先側であり、竿管１０の内部には釣糸２０をガイドする螺旋状のガイド部材１２’が配設されている。この竿管１０を有する釣竿で釣りを行うと、釣糸２０に付着した水滴１８が竿管内部に侵入する。釣りを行うには、仕掛けを目標位置に向って投擲操作するため、この際に竿管内部の水滴は竿先方向に移動させられ、その結果ガイド部材１２’の基部１２’Ｋ，１２’Ｋ’の内、主として後側（竿元側）の基部１２’Ｋに集まることになる。このため、図に示すように、ガイド部材の基部後側では水滴が大きくなって挿通する釣糸２０に付着し易くなり、その分、釣糸抵抗が増大する。この場合、竿管１０の内面に概ね均一で薄い撥水性の層を設けていても、ガイド部材１２’の基部から頂部に向う傾斜が急であれば、水滴が基部に停留する傾向は同様である。
【０００８】
ガイド部材の基部への水滴の停留を防止する実施形態構造を、図１を参照しながら説明する。図１は竿管の長さ方向に切断した縦断面図であり、竿管１０はエポキシ樹脂等の合成樹脂をマトリックスとし、炭素繊維等の強化繊維で強化した繊維強化プリプレグ（熱可塑性樹脂を含めた広い意味）製（ＦＲＰ）竿管であり、ここでは３層構造を成しており、中間層１０Ｂが竿管の長手方向に大部分の強化繊維を指向させた層であり、その外側には、大部分の強化繊維を円周方向に指向させた外側層１０Ａが、内側には、大部分の強化繊維を円周方向に指向させた内側層１０Ｃがそれぞれ配設されている。
【０００９】
この内側層１０Ｃの内周に螺旋状のガイド部材１２を配設しており、例えば該内側層１０Ｃに使用している強化繊維と同じ、又は同種の繊維を使用したコア領域１２Ａと、該コア領域を覆う様に配設された撥水性部材領域１２Ｂ，１２Ｂ’とを具備している。コア領域１２Ａは、その繊維方向を概ね螺旋の長さ方向に指向させているため、釣糸は繊維を横断する方向に走行し、繊維の強度によってコア領域の摩耗を防止できる。特に、釣糸はガイド部材１２の頂部付近でガイドされるため、この頂部付近のコア領域を耐摩耗性に構成すれば、基部近くは必ずしも耐摩耗性に構成しなくてもよい。耐摩耗性に構成するには、上記の如く繊維の方向に依存させたり、また、セラミックスや金属等の材料に依存させたりの方法がある。
【００１０】
この形態でのコア領域１２Ａは概ね３角形を成しており、その頂部は曲面に仕上げている。この頂部付近は撥水性部材でカバーされている。コア領域の高さＨ０全体に亘ってコア領域を覆うと共に竿管内面を覆うように、コア領域の部材と比較して柔軟であり、耐摩耗性の小さな撥水性部材が配設形成されている。こうしてできたガイド部材１２は、図示のようにコア領域の傾斜に比べて緩やかな傾斜になっている。山に例えれば、裾野のなだらかな山になる。従って、撥水性部材領域の、コア領域の基部付近で竿管の半径方向に測った厚さＨ１は、頂部に近い部位のそれＨ３や、基部から竿管の長手方向に離れた部位のそれＨ２よりも厚く形成されている。
【００１１】
このようになだらかであって撥水性を有する表面のため、水滴は基部付近に停留することが防止され、釣糸に水滴が付着することを防止できる。然しながら、撥水性があれば表面は微小な凹凸が存在（粗面の表面）していてもよく、更に、粗面表面に後述の撥水性粒子が露出していてもよい。
もし、上記裾野の大きく広がっている形状のガイド部材１２を、コア領域（の頂部付近）と同じ部材で形成し、その表面に薄く撥水性の層を形成した場合は、竿管１０の撓み剛性を大きく増加させてしまい、竿管の撓み性に与える影響が大きくて適さない。従って、裾野は撓み剛性に与える影響の小さな柔軟な材料で形成すべきであり、このため、本発明では撥水性部材で形成している。然しながら、セラミックスや金属のような耐摩耗性の有る粒子を混入させて、摩耗に対する耐久性を向上させてもよい。
【００１２】
また、釣りを行ったり、釣りの終了後に竿管内部を清掃したりすれば、徐々に撥水性部材領域は摩耗して行くが、最も大切な基部付近の撥水性部材は厚く形成されているため、永く残り、それだけガイド部材として耐久性が向上する。上記形態例では、コア領域１２Ａの前側と後側に撥水性部材領域１２Ｂ’，１２Ｂを設けているが、何れか１方の場合は竿の後側が好ましく、撥水性部材の層の厚さに差を設ける場合には、先側を薄く、後側を厚く形成するのが好ましい。これにより相対的な軽量化が図れると共に、後側は釣糸が当り易く、それだけ摩耗し易いが、後側が厚いために摩耗に対する耐久性においてバランスがとれる。
【００１３】
撥水性部材を後側にのみ設けた参考例としては、２点鎖線で示すように前側の基部付近には竿管内面に薄い撥水性の層を設ける程度で、前方のガイド部材の後側基部付近の撥水性部材の領域１２Ｂと連続させてもよい。また本発明では、竿管１０の内面全体に亘って撥水性部材を設けることなく、前後に隣接したガイド部材間において撥水性部材を設けていない領域が有ってもよい。
【００１４】
撥水性部材としては、フッ素樹脂、シリコン樹脂、テフロン樹脂、ロウ等の撥水性材料のみによってもよく、また、エポキシ樹脂にこれらの直径が１０ミクロン以下の大きさの粒子等を混入させて形成してもよい。このエポキシ樹脂は、竿管１０の内側層１０Ｃに使用されている樹脂と同種にする目的からであり、内側層に他の合成樹脂が使用されている場合には、その合成樹脂を使用すると一体化にとって好ましい。然しながら、他の合成樹脂を使用してもよい。
【００１５】
図２はガイド部材の他の形態１２’を例示したものであり、コア領域１２Ａ’が台形状の場合である。この場合も前側基部や後側基部に設ける撥水性部材領域１２Ｂ’，１２Ｂは、対応する側の高さの全体に亘って設ける。頂部には撥水性部材を設ける。
【００１６】
以上説明した各変形形態については、夫々が単独でも適用でき、また、他の任意の変形形態と組み合わせて適用することもできる。
【００１７】
【発明の効果】
以上の説明から明らかなように本発明によれば、ガイド部材の耐久性を保持しつつ、ガイド部材の基部に水滴が停留し難い中通し釣竿が提供可能となる。
【図面の簡単な説明】
【図１】図１は本発明に係る中通し釣竿に使用する竿管の部分縦断面図である。
【図２】図２は他の形態の竿管の部分縦断面図である。
【図３】図３は従来の状態を説明する竿管の部分縦断面図である。
【符号の説明】
１０                竿管
１２                ガイド部材
１２Ａ              コア領域
１２Ｂ，１２Ｂ’    撥水性部材領域
【図１】
0003562698.tif 000002
【図２】
0003562698.tif 000003
【図３】
0003562698.tif 000004